(57)【要約】【課題】スロットマシンにて遊戯する際、回転する回胴リールで発生する騒音を大幅に抑えることを可能にしたスロットマシンを提供する。【解決手段】円筒状に形成したフレーム枠体の一方側の中心部に軸孔を有し、該フレーム枠体の外周表面に図柄等を施したフィルムを張設した回胴リールと、出力軸を設けた駆動モータと、を備え、回胴リールの軸孔と、駆動モータの出力軸との間の径方向又は軸方向の両方若しくは何れか一方に弾性体から成る緩衝部材を介在させて締結することにより、回胴リールの軸孔と駆動モータの出力軸との直接接触部をなくした。【選択図】　　図１
2004105541.tif 000002
【特許請求の範囲】
【請求項１】
円筒状に形成したフレーム枠体の一方側の中心部に軸孔を有し、該フレーム枠体の外周表面に図柄等を施したフィルムを張設した回胴リールと、出力軸を設けた駆動モータと、を備え、
前記回胴リールの軸孔と、駆動モータの出力軸との間の径方向又は軸方向の両方若しくは何れか一方に弾性体から成る緩衝部材を介在させて締結することにより、回胴リールの軸孔と駆動モータの出力軸との直接接触部をなくした、スロットマシン。
【発明の詳細な説明】
【０００１】
【発明の属する技術分野】
本発明は、スロットマシンの内部に設けた回胴リールと、駆動モータの出力軸とを締結させる際、緩衝部材（第一緩衝部材及び第二緩衝部材の両方若しくは何れか一方）を介在させることにより駆動モータで生じる振動が吸収されて、リール側に伝わることなく、その振動による騒音を抑制することが出来るスロットマシンに関する。
【０００２】
【従来の技術】
遊技店の遊技島は、遊技媒体貸出機からパチンコ玉を貸出し、パチンコ台で遊戯するパチンコ遊技島と、遊技媒体貸出機からメダルを貸出し、スロットマシンで遊戯するスロットマシン遊技島と、から構築されている。
スロットマシン遊技島に設置されたスロットマシンの筐体には、外部の上方に点灯又は点滅する表示ランプ装置と、中央付近に所定数のメダルを投入するメダル投入口と、各回胴リールの回転を開始する開始レバーと、回転を開始した回胴リールを順次停止させる複数個の停止ボタンと、下方にメダル受け皿とが設けられていると共に、内部の中央付近にメダルを払出すメダル払出し装置と、外周に複数種の数字又は図柄等が配置された複数列の回胴リールと、該回胴リールを回転又は停止させる駆動モータとから成る回胴リール装置と、各種動作を制御する制御部と、が備えられている。
【０００３】
そして、遊戯客が上記したスロットマシンの遊戯にあたっては、遊技媒体貸出機にてメダルを貸出した後、遊技客はメダル投入口に所定数のメダルを投入し、開始レバーを操作すると内部の複数列の回胴リールが回転し、回転している複数列の回胴リールを順次、数字又は図柄等が縦横斜めの何れかに揃うタイミングで複数個の停止ボタンを押して停止させていく。
停止ボタンを停止した際、回胴リールの外周に配置された複数種の数字又は図柄等が縦横斜めの何れかに揃うと制御部で大当たりと判断し、揃った数字又は図柄等に応じて所定枚数のメダルが内部のメダル払出し装置からメダル受け皿に払出されるのである。
【０００４】
上記したスロットマシンは、各社製造メーカの機種によって異なる複数種の数字又は図柄等が回胴リール装置の回胴リールに施されており、大当たりした際の払出し枚数も異なっている。
各社製造メーカの回胴リール装置の回胴リールは、任意の幅から成り、十文字の円筒状のフレーム枠体から成り、外周表面に機種によって異なる複数種の数字又は図柄等を施したフィルムが張設していて、筐体内部に適宜間隔をおいて複数列状（例えば、三列）に回転自在に軸支され、中心内部に設けた駆動モータ（例えば、ステッピングモータ等）によって規格された範囲内の回転速度にて回転制御するように設けられている。尚、円筒状のフレーム枠体は、近時において強度を保ちながら且つ、製品の軽量化、コスト低減を図るためにプラスチック材等から一体成形したものが採用されてきている。
【０００５】
上記した円筒状のフレーム枠体は駆動モータの出力軸と締結（連結）する必要があり、その連結構造がリール軸部の緩衝連結構造（例えば、特許文献１参照）にて開示されている。
【０００６】
【特許文献１】
特開２００２−６５９３９号公報（以下、先行技術という）
【０００７】
上記した先行技術の構成を記載すれば、円環状を成しその中心軸部に軸穴が形成されたリールと、前記軸穴に出力軸を挿通し前記リールを回転駆動するリールモータと、前記出力軸に直交して挿通された差込ピンと、前記軸穴の軸方向に直交して形成され、前記差込ピンの外周部が嵌る窪みとを備えるリール軸部の緩衝連結構造であって、前記窪みと前記差込ピンとの間に弾性を有する緩衝部材を介設した構成としたものである。
【０００８】
【発明が解決しようとする課題】
上記した先行技術の構成においては、緩衝部材が介設されていることにより、該緩衝部材が隙間を埋めると共にクッションの役割を果たすことにより、衝突音が発生しなくなる。
しかしながら、リールの軸心に出力軸を直接接触させているためリールモータの駆動時に発生する振動が伝わり、その結果、リールが回転する際の騒音の原因となっていた。また、軸方向においては、出力軸の先端にエンドプレートを介して直接ネジにて締め付けて固定しているため、リールモータの駆動時に発生する振動が伝わってしまい遊戯客に対して不快音となっていた。
即ち、先行技術の構成においては、緩衝部材を介設しているものの、直接接触する箇所があるため、依然としてリールモータの振動が伝わる構成であり、昨今、低騒音化した要望（ニーズ）には応じられなかった。
【０００９】
本発明は、以上の点に鑑み、スロットマシンにて遊戯する際、回転する回胴リールで発生する騒音を大幅に抑えることを可能にしたスロットマシンを提供することを目的としている。
【００１０】
【課題を解決するための手段】
上記目的は、円筒状に形成したフレーム枠体の一方側の中心部に軸孔を有し、該フレーム枠体の外周表面に図柄等を施したフィルムを張設した回胴リールと、出力軸を設けた駆動モータと、を備え、
前記回胴リールの軸孔と、駆動モータの出力軸との間の径方向又は軸方向の両方若しくは何れか一方に弾性体から成る緩衝部材を介在させて締結することにより、回胴リールの軸孔と駆動モータの出力軸との直接接触部をなくした、ことによって達成される。
【００１１】
上記した構成によれば、回胴リールを駆動させる駆動モータで発生する振動が緩衝部材（第一緩衝部材及び第二緩衝部材の両方若しくは何れか一方）によって吸収され、振動が抑制されて回胴リールに伝わらなくなる。その結果、回胴リールが回転する際の騒音が極めて低減され、低騒音となった回胴リールを組み込むことにより、遊戯客に不快音が生じることなく、高品質化のニーズに対応したスロットマシンを提供することが可能となる。
【００１２】
【発明の実施の形態】
以下、本発明のスロットマシンの一実施形態について図面を参照しながら説明する。図１は、本発明の回胴リール装置を分解した分解斜視図である。図２は、図１の回胴リール装置の側面図である。
【００１３】
遊技店のスロットマシン遊技島に設置されたスロットマシンの構成について説明する。本発明の関係する構成のみ符号を使って説明するが、スロットマシンの構成、操作等については、一般的なので図及び符号を使わずに説明する。
スロットマシンの筐体は略長方形状から形成され、筐体外部の上方には、大当たり若しくはリーチした際に点灯又は点滅する表示ランプ装置が設けられている。また、中央付近の右側には遊戯客が所定数のメダルを投入するメダル投入口が、左側には各回胴リールの回転を開始する開始レバーがそれぞれ設けられ、その真ん中に複数個の回胴リール窓と、回転を開始した回胴リールを順次停止させる複数個の停止ボタンとが設けられている。スロットマシンの筐体外部の下方には、メダル受け皿と、スピーカーと灰皿等が設けられている。
【００１４】
スロットマシンの筐体内部の中央付近には、後述する駆動モータ２０から成る回胴リール装置１０が設けられ、その下方に大当たりした際に所定枚数のメダルを払出すメダル払出し装置と、該回胴リール装置１０を回転又は停止させる制御及び各種動作を制御する制御部と、から大略構成されている。
【００１５】
次に、筐体内部の中央付近に設けられた回胴リール装置１０の構成について説明する。
回胴リール装置１０の各回胴リール１２は、支持枠体に適宜間隔をおいて複数列状（例えば、三列）に回転自在に取付けられ、中心内部に設けた駆動モータ２０（例えば、ステッピングモータ等）によって規格された範囲内の回転速度にて回転制御するように設けられている。また、回胴リール１２の軸孔１６と、駆動モータ２０の出力軸２２とは同一軸上に締結されている。尚、図１及び図２においては、複数列設けた各回胴リール１２のうち、一つを図示したものである。
【００１６】
回胴リール１２は、円筒状のフレーム枠体１４と十文字枠体１５とが例えばプラスチック材等から成形され、複数種の数字又は図柄等から成るフィルム１８が円筒状のフレーム枠体１４の外周表面に巻回されている。十文字枠体１５の中心部の軸孔部材１７には円形の軸孔１６が設けられている。尚、十文字枠体１５の何れかに設けた突部と検出部（不図示）によって回転するスタート位置が検出できる。
上記したように該円筒状のフレーム枠体１４と十文字枠体１５とがプラスチック材等から成形により形成することにより、強度を保ながら且つ、製品の軽量化、コスト低減が図れるのである。
【００１７】
上記回胴リール１２の十文字枠体１５の中心内部には駆動モータ２０が設けられている。該駆動モータ２０の出力軸２２には取付けブッシュ２４が止めネジにより固着され、該取付けブッシュ２４の凹凸部２５に第一緩衝部材２６を嵌装して、十文字枠体１５の中心部の軸孔部材１７の軸孔１６内の凹凸部に嵌装する。第一緩衝部材２６は、凹凸形状で弾性体から形成されたもので、好ましくはゴム材または樹脂系エラストマー材等の材質から成している。尚、第一緩衝部材２６は凹凸形状に形成しているため、回転止めの役目もある。
【００１８】
このように、回胴リール１２の中心部の軸孔１６に第一緩衝部材２６を嵌装した取付けブッシュ２４を介在して中心部の軸孔１６の径方向から嵌装させることにより、駆動モータ２０の出力軸２２と回胴リール１２との直接接触部をなくすことが可能となる。
したがって、回胴リール１２を駆動させる駆動モータ２０で発生する振動が緩衝部材（第一緩衝部材２６）によって吸収され、振動が抑制されて回胴リール１２に伝わらなくなる。その結果、回胴リール１２が回転する際の騒音が極めて低減される。
【００１９】
また、該駆動モータ２０の出力軸２２の先端寄りの固定プレート３０の内側に第二緩衝部材２８が嵌装され、十文字枠体１５の中心部の軸孔部材１７の側面に止めネジ３２にて出力軸２２に嵌装されている。
第二緩衝部材２８は、円盤形状で弾性体から形成されたもので、好ましくはゴム材または樹脂系エラストマー材等の材質から成している。
【００２０】
このように、回胴リール１２の中心部の軸孔部材１７の側面から第二緩衝部材２８を嵌装し、固定プレート３０を介在して中心部の軸孔１６の軸方向から嵌装させることにより、駆動モータ２０の出力軸２２と回胴リール１２との直接接触部をなくすことが可能となる。
したがって、回胴リール１２を駆動させる駆動モータ２０で発生する振動が緩衝部材（第二緩衝部材２８）によっても吸収され、振動が抑制されて回胴リール１２に伝わらなくなる。その結果、回胴リール１２が回転する際の騒音が極めて低減される。
【００２１】
図１及び図２においては、緩衝部材を径方向から嵌装させた第一緩衝部材２６と、緩衝部材を軸方向から嵌装させた第二緩衝部材２８の両方に設けた説明としたが、何れか一方側のみに嵌装させたものであっても回胴リール１２が回転する際の騒音が低減される。
【００２２】
図３は、他の実施形態を示す回胴リール装置を分解した分解斜視図である。図４は、図３の回胴リール装置の側面図である。尚、上述した図１及び図２と同じ構成のものについては同じ符号を用いて説明する。
回胴リール１２は、円筒状のフレーム枠体１４と十文字枠体１５とが例えばプラスチック材等から成形され、複数種の数字又は図柄等から成るフィルム（ここでは不図示）が円筒状のフレーム枠体１４の外周表面に巻回されている。十文字枠体１５の中心部の軸孔部材１７にはＴ字形状の軸孔１６が設けられている。尚、十文字枠体１５の何れかに設けた突部と検出部（不図示）によって回転するスタート位置が検出できる。
上記したように該円筒状のフレーム枠体１４と十文字枠体１５とがプラスチック材等から成形により形成することにより、強度を保ながら且つ、製品の軽量化、コスト低減が図れるのである。
【００２３】
上記回胴リール１２の十文字枠体１５の中心内部には駆動モータ２０が設けられている。該駆動モータ２０の出力軸２２には嵌合ピン２１が差し込まれていて、該嵌合ピン２１にＴ字形状の第一緩衝部材２６Ａを嵌装して、十文字枠体１５の中心部の軸孔部材１７のＴ字形状の軸孔１６内に嵌装する。ここでは、取付けブッシュ２４を介在させていない。尚、出力軸２２の嵌合ピン２１が回転止めの役目をしている。
ここでの第一緩衝部材２６Ａは、Ｔ字形状で弾性体から形成されたもので、好ましくはゴム材または樹脂系エラストマー材等の材質から成している。
【００２４】
このように、回胴リール１２の中心部のＴ字形状の軸孔１６にＴ字形状の第一緩衝部材２６Ａを嵌装し、中心部の軸孔１６の径方向から嵌装させることにより、駆動モータ２０の出力軸２２と回胴リール１２との直接接触部をなくすことが可能となる。
したがって、回胴リール１２を駆動させる駆動モータ２０で発生する振動がＴ字形状の緩衝部材（第一緩衝部材２６Ａ）によって吸収され、振動が抑制されて回胴リール１２に伝わらなくなる。その結果、回胴リール１２が回転する際の騒音が極めて低減される。
【００２５】
また、該駆動モータ２０の出力軸２２の先端寄りの固定プレート３０の内側に第二緩衝部材２８Ａが嵌装され、十文字枠体１５の中心部の軸孔部材１７の側面に止めネジ３２にて出力軸２２に嵌装されている。
第二緩衝部材２８Ａは、円盤形状で弾性体から形成されたもので、好ましくはゴム材または樹脂系エラストマー材等の材質から成している。
【００２６】
このように、回胴リール１２の中心部の軸孔部材１７の側面から第二緩衝部材２８Ａを嵌装し、固定プレート３０を介在して中心部の軸孔１６の軸方向から嵌装させることにより、駆動モータ２０の出力軸２２と回胴リール１２との直接接触部をなくすことが可能となる。
したがって、回胴リール１２を駆動させる駆動モータ２０で発生する振動が緩衝部材（第二緩衝部材２８Ａ）によっても吸収され、振動が抑制されて回胴リール１２に伝わらなくなる。その結果、回胴リール１２が回転する際の騒音が極めて低減される。
【００２７】
図３及び図４においては、緩衝部材を径方向から嵌装させた第一緩衝部材２６Ａと、緩衝部材を軸方向から嵌装させた第二緩衝部材２８Ａの両方に設けた説明としたが、何れか一方側のみに嵌装させたものであっても回胴リール１２が回転する際の騒音が低減される。
【００２８】
【発明の効果】
以上の説明で明らかなように、回胴リールを駆動させる駆動モータで発生する振動が緩衝部材（第一緩衝部材及び第二緩衝部材の両方若しくは何れか一方）によって吸収され、振動が抑制されて回胴リールに伝わらなくなる。その結果、回胴リールが回転する際の騒音が極めて低減され、低騒音となった回胴リールを組み込むことにより、遊戯客に不快音が生じることなく、高品質化のニーズに対応したスロットマシンを提供することが可能となる。
【図面の簡単な説明】
【図１】本発明の回胴リール装置を分解した分解斜視図である。
【図２】図１の回胴リール装置の側面図である。
【図３】他の実施形態を示す回胴リール装置を分解した分解斜視図である。
【図４】図３の回胴リール装置の側面図である。
【符号の説明】
１０　　回胴リール装置
１２　　回胴リール
１６　　軸孔
２０　　駆動モータ
２２　　出力軸
２６　　第一緩衝部材（緩衝部材）
２６Ａ　第一緩衝部材（緩衝部材）
２８　　第二緩衝部材（緩衝部材）
２８Ａ　第二緩衝部材（緩衝部材）
【図１】
2004105541.tif 000003
【図２】
2004105541.tif 000004
【図３】
2004105541.tif 000005
【図４】
2004105541.tif 000006